(57)【要約】      （修正有）【課題】ソーラーパネルの保護性能に優れた鳥獣忌避装置を提供する。【解決手段】鳥獣忌避装置Ｓは、太陽光により発電するソーラーパネルと、受動型赤外線センサーにより鳥獣を検知する鳥獣検知部３と、発音部４Ａと発光部により鳥獣を威嚇する鳥獣威嚇部と、鳥獣威嚇部を収納する筐体８とを備えている。筐体は透光性を有する樹脂により形成され、筐体にソーラーパネルが収納されている。【選択図】図２
0003232101.tif 000002
【実用新案登録請求の範囲】
【請求項１】
太陽光により発電するソーラーパネルと、
鳥獣を検知する鳥獣検知部と、
前記鳥獣を威嚇する鳥獣威嚇部と、
前記鳥獣威嚇部を収納する筐体とを備え、
前記筐体は透光性を有する樹脂により形成されるとともに、当該筐体に前記ソーラーパネルが収納されている
ことを特徴とする鳥獣忌避装置。
【請求項２】
前記筐体は、紫外線による変色を抑制する変色抑制剤を添加した樹脂により形成されている
ことを特徴とする請求項１に記載の鳥獣忌避装置。
【請求項３】
前記筐体は、前記ソーラーパネルの直上に配置された屋根部を備えている
ことを特徴とする請求項１または２に記載の鳥獣忌避装置。
【請求項４】
前記屋根部の外面は、複数の凸状球面が配列されるように形成されている
ことを特徴とする請求項３に記載の鳥獣忌避装置。
【請求項５】
前記凸状球面は、ハニカム状に配列されている
ことを特徴とする請求項４に記載の鳥獣忌避装置。
【請求項６】
前記屋根部の外面は、前記筐体を設置したときに水平方向に対して傾斜するように構成されている
ことを特徴とする請求項３〜５のいずれか一項に記載の鳥獣忌避装置。
【考案の詳細な説明】
【技術分野】
【０００１】
本考案は、野生の鳥獣を追い払うための鳥獣忌避装置に関するものである。
【背景技術】
【０００２】
特許文献１には、発電部と、鳥獣を感知する赤外線センサ部と、鳥獣に向けて光を発する発光部と、鳥獣が忌避する音を発する発音部と、鳥獣が忌避する臭気または忌避剤を噴射する噴射部とを備えた鳥獣忌避装置が記載されている。発電部は、ソーラーパネルにより構成されている。
【先行技術文献】
【特許文献】
【０００３】
【特許文献１】実用新案登録第３２１５３４６号
【考案の概要】
【考案が解決しようとする課題】
【０００４】
しかしながら、従来の構成では、飛来物や落下物等の外的要因によりソーラーパネルが傷つき故障するおそれがあった。
【０００５】
本考案は、上記事情に鑑みてなされたものであって、ソーラーパネルの保護性能に優れた鳥獣忌避装置を提供することを課題とする。
【課題を解決するための手段】
【０００６】
上記課題を解決するため、請求項１に記載の鳥獣忌避装置は、太陽光により発電するソーラーパネルと、鳥獣を検知する鳥獣検知部と、前記鳥獣を威嚇する鳥獣威嚇部と、
前記鳥獣威嚇部を収納する筐体とを備え、前記筐体は透光性を有する樹脂により形成されるとともに、当該筐体に前記ソーラーパネルが収納されていることを特徴とする。
【０００７】
請求項２に記載の鳥獣忌避装置は、請求項１に記載の鳥獣忌避装置において、前記筐体は、紫外線による変色を抑制する変色抑制剤を添加した樹脂により形成されていることを特徴とする。
【０００８】
請求項３に記載の鳥獣忌避装置は、請求項１または２に記載の鳥獣忌避装置において、前記筐体は、前記ソーラーパネルの直上に配置された屋根部を備えていることを特徴とする。
【０００９】
請求項４に記載の鳥獣忌避装置は、請求項３に記載の鳥獣忌避装置において、前記屋根部の外面は、複数の凸状球面が配列されるように形成されていることを特徴とする。
【００１０】
請求項５に記載の鳥獣忌避装置は、請求項４に記載の鳥獣忌避装置において、前記凸状球面は、ハニカム状に配列されていることを特徴とする。
【００１１】
請求項６に記載の鳥獣忌避装置は、請求項３〜５のいずれか一項に記載の鳥獣忌避装置において、前記屋根部の外面は、前記筐体を設置したときに水平方向に対して傾斜するように構成されていることを特徴とする。
【考案の効果】
【００１２】
本考案によれば、ソーラーパネルの保護性能に優れた鳥獣忌避装置を提供することができる。
【図面の簡単な説明】
【００１３】
【図１】本考案の一実施形態に係る鳥獣忌避装置のブロック図である。
【図２】同実施形態に係る鳥獣忌避装置の写真である。
【図３】同実施形態に係る鳥獣忌避装置の正面図である。
【図４】同実施形態に係る鳥獣忌避装置の平面図である。
【図５】同実施形態に係る鳥獣忌避装置の側面図である。
【考案を実施するための形態】
【００１４】
図面を参照して、本考案の一実施形態に係る鳥獣忌避装置Ｓを説明する。
図１に示すように、鳥獣忌避装置Ｓは、ソーラーパネル１と、蓄電部２と、鳥獣検知部３と、鳥獣威嚇部４と、入出力部５と、記憶部６と、制御部７とを備えている。
【００１５】
ソーラーパネル１は、太陽光発電部を構成しており、太陽光により発電する。ソーラーパネル１で生じた電力は、蓄電部２を介して、鳥獣忌避装置Ｓの各部に供給される。
【００１６】
蓄電部２は、交換容易な単三形の二次電池により構成されており、ソーラーパネル１で生じた電力を蓄えるとともに、鳥獣忌避装置Ｓの各部に電力を供給する。
【００１７】
鳥獣検知部３は、受動型赤外線センサ（以下「ＰＩＲセンサ」という）により構成されており、鳥獣忌避装置Ｓに近づく鳥獣を検知する。
【００１８】
鳥獣威嚇部４は、発音部４Ａと発光部４Ｂとにより構成されており、音、光、または、これらの組合せにより鳥獣を威嚇する。発音部４Ａは、小型のスピーカーにより構成されており、鳥獣を威嚇するための音を発する。発光部４Ｂは、複数の発光ダイオードを含んだＬＥＤライトにより構成されており、鳥獣を威嚇するための光を発する。
【００１９】
入出力部５は、操作部５Ａと表示部５Ｂとにより構成されており、鳥獣威嚇部４の動作プログラムの設定内容等を入出力する。操作部５Ａは、動作プログラムを設定するためのボタンにより構成されており、具体的には、鳥獣忌避装置Ｓの電源オン／オフを切り替えるための電源ボタン、発音部４Ａが発する音の周波数を切り替えるための周波数切替ボタン、蓄電部２の残り蓄電量を表示させるための電池残量表示ボタン、鳥獣検知部３による鳥獣の検知回数を表示させるための検知回数表示ボタン、および、鳥獣忌避装置Ｓの動作時間を選択するための動作時間選択ボタンにより構成されている。また、表示部５Ｂは、残り蓄電量および鳥獣の検知回数を表示する液晶ディスプレイにより構成されている。
【００２０】
記憶部６は、不揮発性のメモリにより構成されており、鳥獣威嚇部４の動作プログラムを記憶する。動作プログラムには、操作部５Ａを用いて設定された内容も含まれる。また、記憶部６は、鳥獣検知部３による鳥獣の検知回数を記憶する。
【００２１】
制御部７は、基板に設けられた制御回路により構成されており、記憶部６に記憶されている動作プログラムに基づいて鳥獣威嚇部４の動作を制御する。
【００２２】
図２は、鳥獣忌避装置Ｓの白黒写真であり、図３〜図５は、鳥獣忌避装置Ｓの正面図、平面図、および、左側面図である。なお、図２で示す鳥獣忌避装置Ｓは、各部１〜７を接続する配線、および、発光部４Ｂが省略されたものである。また、矢印で示す前後方向Ｘ、左右方向Ｙ、および、上下方向Ｚは、互いに直交する方向である。
【００２３】
図２に示すように、鳥獣忌避装置Ｓは、図１で示した鳥獣忌避装置Ｓの各部１〜７を収納する筐体８を備えている。無色透明な筐体８は、透光性を有する樹脂であって、かつ、紫外線による変色を抑制する変色抑制剤を添加した樹脂により形成されている。変色抑制剤は、例えば、紫外線吸収剤（ＵＶＡ）、ヒンダードアミン光安定剤（ＨＡＬＳ）、または、これらの組合せである。
【００２４】
図３〜図５に示すように、筐体８は、屋根部８１および周壁部８２を構成するケース８Ａと、底部８３を構成するカバー８Ｂとにより構成されている。ケース８Ａとカバー８Ｂとが筐体８内の空間を形成しており、カバー８Ｂを貫通する雄ねじがケース８Ａにねじ込まれることで、筐体８の内部を閉じた状態が維持されている。ケース８Ａとカバー８Ｂとの接合箇所には、密封性を高めるシール部材（図示略）が設けられている。
【００２５】
屋根部８１は、ソーラーパネル１の直上に配置されている。屋根部８１の外面は、複数の凸状球面８１Ａがハニカム状に配列されるように形成されている。また、屋根部８１の外面は、筐体８を設置したときに水平方向に対して傾斜するように構成されている。本実施形態では、屋根部８１の外面は左右方向Ｙに対して傾いており、屋根部８１の外面は、屋根部８１の左右中央部から右方に向かうにつれて下がるように形成され、かつ、屋根部８１の左右中央部から左方に向かうにつれて下がるように形成されている。
【００２６】
本実施形態では、鳥獣忌避装置Ｓは２つのソーラーパネル１を備えており、ソーラーパネル１は、屋根部８１の左側半分および右側半分のそれぞれの直下に、屋根部８１の外面と同様に傾斜するように配置されている。ソーラーパネル１は、鳥獣検知部３および鳥獣威嚇部４の直上に設けられている。
【００２７】
周壁部８２は、屋根部８１の前端部に連なる前壁部８２Ａと、屋根部８１の右端部に連なる右壁部８２Ｂと、屋根部８１の左端部に連なる左壁部８２Ｃと、屋根部８１の後端部に連なる後壁部８２Ｄとにより構成されている。前壁部８２Ａおよび後壁部８２Ｄのそれぞれには、ＰＩＲセンサ（鳥獣検知部３）が嵌まる開口部Ａ１とスピーカー（発音部４Ａ）を容易に交換するための開口部Ａ２とが形成され、左壁部８２Ｃには、二次電池を容易に交換するための開口部Ａ３が形成されている。なお、図面において、前壁部８２Ａおよび後壁部８２Ｄに形成された開口部Ａ１，Ａ２の図示は省略されている。
【００２８】
本実施形態では、鳥獣忌避装置Ｓは、鳥獣検知部３を構成する２つのＰＩＲセンサを備えており、鳥獣忌避装置Ｓの前方に位置する鳥獣を検知するＰＩＲセンサが、前壁部８２Ａの開口部Ａ１に設けられ、鳥獣忌避装置Ｓの後方に位置する鳥獣を検知するＰＩＲセンサが、後壁部８２Ｄの開口部Ａ１に設けられている。各ＰＩＲセンサの一部は、開口部Ａ１から筐体８の外部に突出している。
【００２９】
また、本実施形態では、鳥獣忌避装置Ｓは、発音部４Ａを構成する２つのスピーカーを備えており、鳥獣忌避装置Ｓの前方に向けて音を発するスピーカーが、前壁部８２Ａの開口部Ａ２に設けられ、鳥獣忌避装置Ｓの後方に向けて音を発するスピーカーが、後壁部８２Ｄの開口部Ａ２に設けられている。
【００３０】
また、本実施形態では、鳥獣忌避装置Ｓは、発光部４Ｂを構成するＬＥＤライトとして、鳥獣忌避装置Ｓの前方に向けて光を発するＬＥＤライトと、鳥獣忌避装置Ｓの後方に向けて光を発するＬＥＤライトとを備えている。なお、図面において、鳥獣忌避装置Ｓの後方に向けて光を発するＬＥＤライトの図示は省略されている。
【００３１】
底部８３は、周壁部８２の下方に配置されている。底部８３には、操作部５Ａを操作するための開口部Ａ４が形成されており、開口部Ａ４の直上に、操作部５Ａを含む入出力部５が配置されている。
【００３２】
また、鳥獣忌避装置Ｓは、筐体８の付属要素として、スピーカー支持材９１と、電池カバー９２と、スナップ錠９３と、底蓋９４（図３および図５参照）と、支柱９５（図２参照）とを備えている。なお、支柱９５は、図２以外での図示は省略されている。
【００３３】
スピーカー支持材９１は、環状の板部材により構成され、発音部４Ａを構成するスピーカーの前端を支持している。本実施形態では、スピーカー支持材９１は、筐体８の前壁部８２Ａおよび後壁部８２Ｄにねじ止めされることで、スピーカーが筐体８に収納され、ソーラーパネル１の直下に発音部４Ａが配置されている状態が維持される。スピーカー支持材９１は、筐体８に対して着脱可能に構成されており、スピーカー支持材９１が筐体８から取り外されることで、ケース８Ａとカバー８Ｂとを分離することなくスピーカーが交換可能な状態になる。
【００３４】
電池カバー９２は、筐体８の左壁部８２Ｃに取り付けられており、開口部Ａ３を閉鎖する閉状態と開口部Ａ３を開放する開状態とに切り替え可能に構成されている。電池カバー９２は閉状態から開状態に遷移することで、ケース８Ａとカバー８Ｂとを分離することなく二次電池が交換可能な状態になる。
【００３５】
スナップ錠９３は、電池カバー９２に取り付けられており、電池カバー９２の動作を許容するアンロック状態と電池カバー９２の動作を禁止するロック状態とに切り替え可能に構成されている。
【００３６】
底蓋９４は、筐体８の底部８３に取り付けられており、本実施形態では、開口部Ａ４にねじ込まれることにより、開口部Ａ４を閉鎖するように構成されている。底蓋９４は、筐体８に対して着脱可能に構成されており、底蓋９４が筐体８から取り外されることで、操作部５Ａが操作可能な状態になる。
【００３７】
支柱９５は、上下方向Ｚに延び、底蓋９４に取り付けられる。本実施形態では、支柱９５の上端部が、底蓋９４に対してねじ込み可能に構成されている。
【００３８】
また、鳥獣忌避装置Ｓは、筐体８の外部から内部への水分の侵入を抑制するために、筐体８の構成要素と他の構成要素との間に設けられたシール部材を備えている。具体的には、シール部材は、前壁部８２Ａと鳥獣検知部３との間、左壁部８２Ｃと電池カバー９２との間、および、底部８３と入出力部５との間等に設けられている。
【００３９】
本実施形態によれば以下の効果が得られる。
（１）筐体８は透光性を有する樹脂により形成されるとともに、筐体８にソーラーパネル１が収納されているため、筐体８を透過した太陽光によりソーラーパネルの発電が可能であり、ソーラーパネル１を収納する筐体８によりソーラーパネル１の保護性能に優れた鳥獣忌避装置Ｓが実現できる。
【００４０】
（２）筐体８は、紫外線による変色を抑制する変色抑制剤を添加した樹脂により形成されているため、筐体８の変色によるソーラーパネル１の発電効率の低下を抑制することができる。
【００４１】
（３）屋根部８１の外面は、複数の凸状球面８１Ａが配列されるように形成されているため、ソーラーパネル１に対して太陽光を集光することができ、発電効率を向上させることができる。
【００４２】
（４）凸状球面８１Ａは、ハニカム状に配列されているため、複数の凸状球面８１Ａが隙間なく設けられることによって太陽光の利用効率を高め、発電効率を向上させることができる。
【００４３】
（５）屋根部８１の外面は、筐体８を設置したときに水平方向に対して傾斜するように構成されているため、屋根部８１に付着した水滴の滞留を抑制することができ、発電効率の低下を抑制することができる。
【００４４】
（６）鳥獣検知部３および鳥獣威嚇部４の直上にソーラーパネル１が配置されている、すなわち、鳥獣検知部３および鳥獣威嚇部４とソーラーパネル１とが上下方向Ｚにおいて部分的または全体的に重なるように配置されているため、鳥獣忌避装置Ｓを水平方向に小型化することができる。
【００４５】
以上、本考案の一実施例について説明したが、本考案の構成は、上記の実施例に限定されるものではない。すなわち、本考案は、例えば、以下のように変更して実施することもでき、以下の変更を組み合わせて実施することもできる。
【００４６】
・鳥獣検知部３の構成を適宜変更してもよい。例えば、鳥獣検知部３をマイクロ波センサにより構成してもよい。また、鳥獣検知部３を複数種のセンサの組み合わせにより構成してもよい。
【００４７】
・鳥獣威嚇部４の構成を適宜変更してもよい。例えば、鳥獣威嚇部４が発音部４Ａおよび発光部４Ｂの一方のみを備えるように構成してもよい。また、例えば、鳥獣威嚇部４が鳥獣を忌避するための臭気を発するように構成してもよい。
【符号の説明】
【００４８】
Ｓ  鳥獣忌避装置
１  ソーラーパネル
３  鳥獣検知部
４  鳥獣威嚇部
８  筐体
８Ａ  ケース
８Ｂ  カバー
８１  屋根部
８１Ａ  凸状球面
８２  周壁部
８３  底部
【図１】
0003232101.tif 000003
【図２】
0003232101.tif 000004
【図３】
0003232101.tif 000005
【図４】
0003232101.tif 000006
【図５】
0003232101.tif 000007